【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
トロカールポートを通る使用のための開創器であって：
少なくとも、第１の機械的インターフェースを有する第１のセクションおよび該第１の機械的インターフェースを係合するための第２の機械的インターフェースを有する第２のセクションを有するシャフトであって、該第１のセクションおよび第２のセクションが、該シャフトを通って規定される軸に沿い、かつ該第１の機械的インターフェースが該第２の機械的インターフェースから脱係合されている第１のほぼ長軸方向に整列された形態から、該第２のセクションが該シャフトの長軸に対して所定の角度で配置され、かつ該第１の機械的インターフェースが、該第２の機械的インターフェースと係合している第２の形態まで選択的に移動可能である、シャフト；および
該シャフトを通じて延び、かつ該第２のセクションに作動可能に取り付けられている少なくとも１つのケーブルであって、該ケーブルの選択的移行に際し、該第２のセクションを、該第１の形態から第２の形態に移動するように該遠隔から作動可能であるケーブルを備える、開創器。
【請求項２】
前記第１の形態から第２の形態への移行に際し、前記第１および第２の機械的インターフェースが協働して前記第１のセクションおよび第２のセクションを整列し、かつ該第１および第２のセクションを互いに係合する、請求項１に記載の開創器。
【請求項３】
前記第１のセクションがカム様インターフェースを含み、そして前記第２のセクションが、前記ケーブルの作動ならびに該第１のセクションおよび該第１のセクションの前記第１の形態から第２の形態への移動に際し互いに回転可能かつ移行可能に係合する相補的カム様インターフェースを含む、請求項１に記載の開創器。
【請求項４】
前記シャフトが、前記第１および第２のセクションを収容する外部スリーブを含む、請求項１に記載の開創器。
【請求項５】
前記第１のセクションおよび第２のセクションの少なくとも１つが、該第１のセクションおよび第２のセクションの他方内に配置された対応する凹部を係合するトングを含み、前記第１の形態から前記少なくとも１つのさらなる第２の形態への移動の間に、互いに対する該第１のセクションおよび第２のセクションの整列および係合を容易にする、請求項１に記載の開創器。
【請求項６】
前記第１のセクションと第２のセクションとの間に配置されたヒンジをさらに含む、請求項１に記載の開創器。
【請求項７】
前記第１のセクションと第２のセクションとの間に配置された一体ヒンジをさらに備える、請求項１に記載の開創器。
【請求項８】
前記第１のセクションおよび第２のセクションのうちの１つが、前記少なくとも１つのさらなる第２の形態に配置されるとき、該第１のセクションと第２のセクションとの角度配置を制御するためのストップを含む、請求項６に記載の開創器。
【請求項９】
器官開創器であって：
チューブであって、それを通じて延び、かつ長軸を規定する管腔を有するチューブ；および
該チューブの管腔内に配置される遠位セクション、中間セクションおよび近位セクションを備え、ここで、該第遠位セクション、中間セクションおよび近位セクションが該長軸と実質的に整列され、そして互いと分離している第１の形態、および該中間セクションと該遠位セクションとが、該遠位セクションが該長軸に対して所定角度で配置されるように互いと係合される少なくとも１の第２の形態を有する、器官開創器。
【請求項１０】
前記近位セクションおよび中間セクションを通じて延び、そして前記遠位セクションに作動可能に固定される第１のケーブルをさらに備え、ここで、該第１のケーブルの近位方向における移行が、該遠位セクションを、該長軸に対して所定の角度で該中間セクションを作動可能に係合させる、請求項９に記載の器官開創器。
【請求項１１】
前記近位セクションを通じて延び、そして前記中間セクションに作動可能に取り付けられる第２のケーブルをさらに備え、ここで、前記第１のケーブルまたは該第２のケーブルの少なくとも１つの近位方向における移行が、該中間セクションが該近位セクションを作動可能に係合するようにする、請求項１０に記載の器官開創器。
【請求項１２】
前記遠位セクションが、その近位端に形成された少なくとも１つの第１の機械的インターフェースを含み、そして前記中間セクションが、その側面上に形成された少なくとも１つの第２の機械的インターフェースを含み、該第２の機械的インターフェースが該第１の機械的インターフェースと相補的であり、ここで、該遠位セクションおよび中間セクションが互いに係合するとき、該第１の機械的インターフェースおよび第２の機械的インターフェースが、該遠位セクションを前記長軸に対して所定角度で維持する、請求項１１に記載の器官開創器。
【請求項１３】
前記近位セクションが、その遠位端に形成された少なくとも１つの第３の機械的インターフェースを含み、そして前記中間セクションが、その近位端に形成された少なくとも１つの第４の機械的インターフェースを含み、該第４の機械的インターフェースが、該第３の機械的インターフェースに相補的であり、ここで、該近位セクションおよび中間セクションが互いに係合するとき、該第３の機械的インターフェースおよび第４のインターフェースが、該近位セクションおよび中間セクションを前記長軸と実質的に整列して維持する、請求項１２に記載の器官開創器。
【請求項１４】
前記近位セクションが、それを通じて延びる少なくとも１つの長軸方向に配向された通路を含み、ここで、前記第１および第２のケーブルが該少なくとも１つの長軸方向の通路を通って延びる、請求項１３に記載の器官開創器。
【請求項１５】
前記中間セクションが、それを通って延びる実質的に角度をもつ通路、該中間セクションの近位表面上の角度をもつ通路の第１の部分、および該中間セクションの側面上の角度をもつ通路開口の第２の部分を含み、ここで、前記第２のケーブルが該角度をもつ通路を通じて延びる、請求項１４に記載の器官開創器。
【請求項１６】
前記中間セクションの第２の機械的インターフェースがソケットの形状であり、そしてここで、前記遠位セクションの第１の機械的インターフェースが、それから延びるトング様部材の形状であって、かつ前記近位セクション中に形成されるソケットに相補的である、請求項１２に記載の器官開創器。
【請求項１７】
リボンの形状にあるケーブルが、前記近位セクションおよび前記中間セクションを通って延び、そして前記遠位セクションに固定される、請求項９に記載の器官開創器。
【請求項１８】
前記中間セクションの第２の機械的インターフェースが、らせん状カム表面を含み、そしてここで、前記遠位セクションの第１の機械的インターフェースが、前記近位セクションのらせん状カム表面に相補的であるらせん状カム表面を含む、請求項１２に記載の器官開創器。
【請求項１９】
前記近位セクションの第３の機械的インターフェースおよび前記中間セクションの第４の機械的インターフェースの各々が、互いに交差するらせん状カム表面を備える、請求項１２に記載の器官開創器。
【請求項２０】
前記チューブが、可撓性材料から製作される、請求項９に記載の器官開創器。
【請求項２１】
開創器であって：
長軸を規定する細長いシャフトであって、互いに回動可能に接続される第１のセクションおよび第２のセクションを有するシャフト；および
該第１のセクションを通って伸び、かつ該開創器を第１の形態から少なくとも１つの第２の形態に操作するために該第２のセクションに作動可能に接続される第１のケーブルを備え、ここで、該第１の形態において、該第１のセクションおよび第２のセクションが、該長軸と実質的に整列され、そして該少なくとも１つの第２の形態において、該第２のセクションが該長軸に対して所定の角度にある、器官開創器。
【請求項２２】
前記第２のセクションが、機械的ヒンジによって前記第１のセクションに回動可能に接続される、請求項２１に記載の器官開創器。
【請求項２３】
前記第２のセクションが、一体ヒンジによって前記第１のセクションに回動可能に接続される、請求項２１に記載の器官開創器。
【請求項２４】
前記第１のセクションが遠位表面を有し、そして前記第２のセクションが近位表面を有し、該遠位表面が該第２のセクションの近位表面に面する角度をもつ表面を備える、請求項２１に記載の器官開創器。
【請求項２５】
前記第１のセクションおよび第２のセクション間に延びるフィルムをさらに含む、請求項２４に記載の器官開創器。
【請求項２６】
前記遠位表面および近位表面の少なくとも１つ上に提供される少なくとも１つのストップ部材をさらに含む、請求項２４に記載の器官開創器。
【請求項２７】
さらに：
前記第２のセクションに回動可能に接続された第３のセクション；および
前記第１のセクションおよび該第２のセクションを通じて延び、そして前記開創器を前記第１の形態から少なくとも１つの第２の形態に操作するために該第３のセクションに作動可能に接続される第２のケーブルを備える、請求項２１に記載の器官開創器。
【請求項２８】
前記第１のセクション上に提供される第１の機械的インターフェース、該第１の機械的インターフェースを係合するために前記第２のセクション上に提供される第２の機械的インターフェース、該第２のセクション上に提供される第３の機械的インターフェース、および該第３の機械的インターフェースを係合するために前記第３のセクション上の第４の機械的インターフェースをさらに備える、請求項２７に記載の器官開創器。
【請求項２９】
開創器であって：
シャフトを規定する複数のセクションを備え、該セクションの各々が隣接するセクションを係合するための機械的インターフェースを有し、各セクションが、隣接するセクションと長軸方向整列にある第１の位置と、該第１の位置から、該セクションが組織を係合するために実質的に閉じた形状を形成するようにずれた第２の位置とを有する、開創器。
【請求項３０】
前記セクションの少なくとも１つが、隣接するセクションにあるスロットを係合するためのトングを含む、請求項２９に記載の開創器。
【請求項３１】
前記複数のセクションの少なくとも第１のセクションに取り付けられ、かつ該複数のセクションの少なくとも第２のセクション中の通路中に配置される第１のケーブルをさらに備え、そして該第１のケーブルが、該第１のケーブルが近位方向に引かれるとき第２のセクションに対して該第１のセクションを移動するために整列され、該シャフトの長軸から第１の方向にずれる、請求項２９に記載の開創器。
【請求項３２】
前記開創器を前記第１の位置に戻すために、前記長軸から第２の方向にずれる第２のケーブルをさらに備える、請求項３１に記載の開創器。
【請求項３３】
前記複数のセクションの第１のセクションと該複数のセクションの第２のセクションとの間に配置されたヒンジをさらに備える、請求項２９に記載の開創器。
【請求項３４】
前記ヒンジが一体ヒンジを備える、請求項３２に記載の開創器。
【手続補正２】
【補正対象書類名】明細書
【補正対象項目名】００１０
【補正方法】変更
【補正の内容】
【００１０】
前記第１のセクションおよび第２のセクションの少なくとも１つは、該第１のセクションおよび第２のセクションの他方内に配置された対応する凹部を係合するトングを含み得る。このトングは、望ましくは、前記第１の形態から前記少なくとも１つのさらなる第２の形態への移動の間に、互いに対する該第１のセクションおよび第２のセクションの整列および係合を容易にする。
【手続補正３】
【補正対象書類名】明細書
【補正対象項目名】００２０
【補正方法】変更
【補正の内容】
【００２０】
本開示の別の局面によれば、上記器官開創器は、長軸を規定する細長いシャフトであって、互いに回動可能に接続される第１のセクションおよび第２のセクションを有するシャフト、および該第１のセクションを通って伸び、かつ上記第２のセクションに作動可能に接続される第１のケーブルを含む。この第１のケーブルは、上記開創器を、第１の形態から少なくとも１つの第２の形態に操作するために用いられる。該第１の形態では、該第１のセクションおよび第２のセクションは、該長軸と実質的に整列され、その一方、該少なくとも１つの第２の形態では、該第２のセクションは、該長軸に対して所定の角度にある。上記第２のセクションは、機械的ヒンジおよび／または一体ヒンジによって前記第１のセクションに回動可能に接続され得る。
【手続補正４】
【補正対象書類名】明細書
【補正対象項目名】００３６
【補正方法】変更
【補正の内容】
【００３６】
第１セクション１０４ｃは、その近位端１２５に形成される第１の機械的インターフェース１２６を含み、これは、望ましくは第２セクション１０４ｂの側面１２２中に形成される対応および／または相補的な第２の機械的インターフェース１２４と係合可能である形態および寸法である。同様に、第３セクション１０４ａは、その遠位端１２８に形成された第３の機械的インターフェース１２０を含み、これは、望ましくは第２セクション１０４ｂの近位端１３０中に形成される対応および／または相補的な第４の機械的インターフェース１２２と係合可能である形態および寸法である。
【手続補正５】
【補正対象書類名】明細書
【補正対象項目名】００３７
【補正方法】変更
【補正の内容】
【００３７】
開創器１００は、第３セクション１０４ａ中に形成される長軸方向に配向された通路１０５ａを通り、Ｌ形状通路１０５ｂの近位の長軸方向に配向された部分を通って第２セクション１０４ｂ中に、そしてＬ形状通路１０５ｂの半径方向に配向された部分を通って第２セクション１０４ｂの外に延び、そして第１セクション１０４ｃ中に形成され、そしてそれから近位方向に延びるボア１０５ｃ中に好ましくは位置する取り付け点１３４に固定される第１のケーブル１０６ａを含む。開創器は、さらに、第３セクション１０４ａの通路１０５ａを通って延び、そして好ましくはＬ形状通路１０５ｂ内に位置する取付け点１３２で第２セクション１０４ｂに固定される第２のケーブル１０６ｂを含む。ケーブル１０６ａおよび１０６ｂは、上記第１の形態と第２の形態との間で開創器１００の操作を達成する外科医により遠隔から移行可能である。一連のケーブルガイド１４２が、セクション１０４ａ、１０４ｂおよび１０４ｃを通り、および／またはその中にケーブル１０６ａおよび１０６ｂの移行を容易にするために用いられ得る。
【手続補正６】
【補正対象書類名】明細書
【補正対象項目名】００３９
【補正方法】変更
【補正の内容】
【００３９】
使用において、そして図１Ａ〜１Ｃに最も良く示されるように、開創器１００は、最初、図１Ａに示されるような形態とされ（例えば、セクション１０４ａ〜１０４ｃが、長軸方向軸「Ａ」に沿って互いに実質的に長軸方向に整列される）、トロカールアセンブリ１０を通る開創器１００の挿入を容易にする。一旦、開創器１００が、トロカールアセンブリ１０を通り、手術部位中に、所望および／または十分な距離挿入されると、外科医は、第１のケーブル１０６ａを遠隔から作動し（例えば、第１のケーブル１０６ａを近位方向に引っ張る）、それによって第１セクション１０４ｃを矢印「Ｂ」の方向に回転し、第２セクション１０４ｂの側面との係合にスライドおよび／または位置決めされるようにする。より詳細には、ケーブル１０６ａを引くことにより、第１セクション１０４ｃは、第２セクション１０４ｂに対し、２対の対向する機械的インターフェース、すなわち、第２セクション１０４ｂのインターフェース１２４、および第１セクション１０４ｃのインターフェース１２６が互いに係合し、第１セクション１０４ｃを第２セクション１０４ｂに対して好ましくは直交配向である所定角度に位置決めするように位置決めされる。ケーブル１０６ａは、遠位端１０１を開創されるべき器官または組織に隣接して配置した後、このケーブルが第１セクション１０４ｃおよび器官または組織を同時に移動するように作動され得る。あるいは、この開創器は、第２の形態に移動され得、そして次に開創されるべき器官または組織と係合される。次に、開創器１００は、器官または組織に移動される。
【手続補正７】
【補正対象書類名】明細書
【補正対象項目名】００４１
【補正方法】変更
【補正の内容】
【００４１】
一旦、第１セクション１０４ｃが中間セクション１０４ｂと係合されると、外科医は、第２ケーブル１０６ｂを遠隔から作動し（例えば、第２ケーブル１０６ｂを近位方向に引く）、それによって、第２セクション１０４ｂを移行し、および／または長軸方向軸「Ａ」に沿って近位セクション１０４ａとの係合に位置決めする。特に、図１Ｃに最も良く見られるように、ケーブル１０６ｂを引くことにより、第２セクション１０４ｂは、第３セクション１０４ａに対し、図１Ｃに最も良く観察されるように、２対の対向する機械的インターフェース、すなわち、第３セクション１０４ａの対１２０、および第２セクション１０４ｂの対１２２が、互いに係合して第３セクション１０４ａに対して第２セクション１０４ｂを整列かつ固定するように位置決めされる。ケーブル１０６ｂは、次いでロックされ得、開創目的のために、第２セクション１０４ｂを第３セクション１０４ａに対して固定して取り付ける。第１セクション１０４ｃ、第２セクション１０４ｂおよび第３セクション１０４ａは、ケーブル１０６ａおよび１０６ｂを解放することにより、これらセクションが戻り、および／または重力の作用の下で初期形態に自由に戻るように係合を解かれ得る。次いで、開創器１００は、トロカールアセンブリ１０から移動され得る。
【手続補正８】
【補正対象書類名】明細書
【補正対象項目名】００５３
【補正方法】変更
【補正の内容】
【００５３】
ここで、図２Ａおよび２Ｂを参照して、本開示による内視鏡開創器の別の実施形態が、一般に参照番号５００として示される。器官開創器５００は、第１および第２セクション５０４ａおよび５０４ｂをそれぞれ有する細長いシャフト５０４を含み、好ましくはヒンジ５２２である回動部材によって互いに回動可能に接続される。好ましくは、フィルム５２５が、第１および第２セクション５０４ａと５０４ｂとの間に延び、器官および／または組織が、第１セクションおよび第２セクション５０４ａ、５０４ｂの間につままれる、および／または捕らわれる感受性を減少する。あるいは、第１および第２セクション５０４ａ、５０４ｂは、図１Ａ〜１Ｃと組み合わせて上記で論議されたように、可撓性チューブによって覆われ得る。第１および第２セクション５０４ａおよび５０４ｂは、外科医によるケーブル５０６の遠隔操作に際し、それらを通って規定される長軸方向軸「Ａ」に関し、およびヒンジ５２２の周りを回転可能である。より詳細には、図２Ｂに見られるように、ケーブル５０６は、点５３４において第２セクション５０４ｂに、ケーブル５０６の選択的移行（例えば、引っ張ること）が、第２セクション５０４ｂをピボット５２２の周りで回転するように固定される。認識され得るように、第２セクション５０４ｂは、特定の目的に依存して、ならびに第１および第２セクション５０４ａおよび５０４ｂの対向する表面５１３ａ、５１３ｂの特定の寸法および形態にそれぞれ依存して長軸方向軸「Ａ」に対して種々の角度「ａ」に回転され得る。第１および第２セクション５０４ａ、５０４ｂの１つまたは両方は、それぞれ、特定の目的に依存して、または所望の結果を達成するために、第１セクション５０４ａに対する第２セクション５０４ｂの角度の回転「ａ」の程度を制限するためのストップ部材５５０を含み得る。
【手続補正９】
【補正対象書類名】明細書
【補正対象項目名】００５６
【補正方法】変更
【補正の内容】
【００５６】
ここで、図３Ａおよび３Ｂを参照して、本開示のなお別の実施形態による内視鏡器官開創器は、一般に６００として示される。開創器６００は、「一体ヒンジ」６２５によって相互接続される第１および第２セクション６０４ａおよび６０４ｂをそれぞれ有する細長いシャフト６０４を含む。「一体ヒンジ」は、２つの比較的より重いおよび／またはより厚い壁を架橋し、しかも機械的ヒンジの使用なくして繰り返して曲がる能力を提供するプラスチックなどの比較的薄い部分である。第１および第２セクション６０４ａ、６０４ｂは、外科医によるケーブル６０６の遠隔作動に際し、それを通じて規定される長軸方向軸「Ａ」に対し、かつ想像上の回動点６２２の周りを回転可能である。詳細には、図３Ｂに見られるように、ケーブル６０６は、第２セクション６１４ｂに点６３４において、ケーブル６０６の選択的移行（例えば、引くこと）が、想像上の回動点６２２の周りの第２セクション６０４ｂの回転の間に、一体ヒンジ６２５に対して第２セクション６０４ｂをずらすように固定される。認識され得るように、第２セクション６０４ｂは、特定の目的に依存して、長軸方向軸「Ａ」に対して種々の角度「ａ」に回転され得る。第１および第２セクション６０４ａ、６０４ｂそれぞれの１つまたは両方は、特定の目的に依存して、または所望の結果を達成するために第２セクション６０４ｂの角度回転の程度「ａ」を制限するためのストップ部材６５０を含み得る。
【手続補正１０】
【補正対象書類名】明細書
【補正対象項目名】００５８
【補正方法】変更
【補正の内容】
【００５８】
ここで図４Ａ〜４Ｄを参照して、本開示による内視鏡開創器の別の実施形態は、一般に７００として示される。開創器７００は、好ましくはヒンジ（例えば、機械的ヒンジ、一体ヒンジなど）である回動部材７２２によって互いに回動可能に接続される複数のセクション７０４ａ〜７０４ｅを有する細長いシャフト７０４を含む。開創器７００は、第１セクション７０４ａ、第２セクション７０４ｂ、第３セクション７０４ｃ、第４セクション７０４ｄおよび第５セクション７０４ｅを有する。しかし、当業者は、より少ない、またはより多いセクションが用いられ得ることを認識する。開創器７００は、第５セクション７０４ｅの側面を通り、セクション７０４ａ〜７０４ｄの外部に沿って延び、そして第１セクション７０４ａの外表面に固定されるケーブル７０６を含む。セクション７０４の各々は、長軸方向軸「Ａ」に対し、斜めに配向されるとは対照的に角度のある近位端７２５および遠位端７２８を有する。図４Ａに最も良く見られるように、各セクション７０４は、隣接するセクションの角度のある近位端７２５から分岐する角度のある遠位端７２８を有する。例えば、（セクション７０４ｂの）遠位端７２８ｂは、（セクション７０４ａ）の近位端７２５ａから、開創器７００の第１の側面７２７から第２の側面７２９に分岐する。この角度のある表面は、各セクションが隣接するセクションに対して回転することを可能にする。
【手続補正１１】
【補正対象書類名】明細書
【補正対象項目名】００６３
【補正方法】変更
【補正の内容】
【００６３】
図５Ｃに見られるように、第１および第２セクション８０４ａ、８０４ｂは、トング８０６ａ、８０６ｂを通じて延びる回動部材８１６（例えば回動ピン）によって一緒に回動可能に連結されている。好ましくは、第１および第２セクション８０４ａ、８０４ｂは、一緒に連結されるとき、第１の側面エッジ８１４ａは、第１の側面エッジ８１４ｂと実質的に整列している。さらに、８０６ａ、８０６ｂのトング弓状の遠位エッジ８１０ａ、８１０ｂは、好ましくは、トング８０６ａが凹部８０８ｂ中に配置され、そしてトング８０６ｂが凹部８０８ａ中に配置されるように互いに重複している。図５Ｃに最も良く見られるように、望ましくは、トング８０６ａの遠位エッジ８１０ａは、第２セクション８０４ｂの遠位端８１２ｂに接触または隣接して横たわり、そしてトング８０６ｂの遠位エッジ８１０ｂは、第１セクション８０４ａの遠位端８１２ａに接触または隣接して横たわる。
【手続補正１２】
【補正対象書類名】明細書
【補正対象項目名】００７６
【補正方法】変更
【補正の内容】
【００７６】
ここで図９Ａおよび９Ｂを参照して、本開示のなお別の実施形態による内視鏡開創器は、一般に、開創器１２００として指定されている。開創器１２００は、細長いシャフト１２０４、およびシャフト１２０４の遠位端１２１３から延び、そしてそれと作動可能に係合可能な複数のフィンガー要素１２１２ａ、１２１２ｂおよび１２１２ｃを含む。開創器１２００はまた、それを通って配置される複数のケーブル１２０６ａ、１２０６ｂおよび１２０６ｃを含み、これらは、外科医によって、トロカールアセンブリ（図示せず）を通って挿入された後開創器１２００を形成、アセンブルおよび／または構成するために遠隔から作動可能である。各ケーブル１２０６ａ〜１２０６ｃは、個々のケーブル１２０６ａ〜１２０６ｃから、そして対応するフィンガー要素１２１２ａ〜１２１２ｃ中に延びるコード１２２５ａ〜１２２５ｃの束を含む。コード１２２５ａ〜１２２５ｃの各束は、次に、最終的には、隣接するフィンガー要素１２１２ａ〜１２１２ｃを、各フィンガー要素１２１２ａ〜１２１２ｃ中に形成された一連の側面ポート１２３０ａ〜１２３０ｃを通ってそれぞれ互いに接続および／または相互接続する個々のコード要素（図示せず）に分離する。
【手続補正１３】
【補正対象書類名】明細書
【補正対象項目名】００８７
【補正方法】変更
【補正の内容】
【００８７】
【図１Ａ】図１Ａは、本開示の１つの実施形態に従って構築された内視鏡開創器の側断面図であり、トロカールアセンブリを通じる挿入のために構成されて示される。
【図１Ｂ】図１Ｂは、図１Ａの実施形態による開創器の側断面図であり、この開創器の第３のセクションが組織を開創するための位置に回転される配置の第１のステージを示す。
【図１Ｃ】図１Ｃは、図１Ａおよび１Ｂの実施形態による開創器の側断面図であり、この開創器の第２のセクションが、開創器の第１のセクションを係合かつロックするために移行され、組織を開創するために開創器を位置決めする配置の第２のステージを示す。
【図１Ｄ】図１Ｄは、別の実施形態による開創器の斜視図であり、ここで、面取りされたトング様適合が、第２のセクションと第１のセクションとの互いの係合を容易にするために利用される。
【図１Ｅ】図１Ｅは、図１Ｄ中の線１Ｅ−１Ｅに沿ってとられた断面図であり、第１のセクションに対して第２のセクションを遠隔に移行するために用いられる一対のケーブルを示す。
【図１Ｆ】図１Ｆは、図１Ｄ中の線１Ｆ−１Ｆに沿ってとられた断面図であり、第１のセクションに対して第２のセクションを遠隔に移行するために用いられリボン様ケーブルを示す。
【図１Ｇ】図１Ｇは、さらなる実施形態による開創器中の機械的インターフェースの斜視図であり、第１のセクションおよび第２のセクションを示す。
【図１Ｈ】図１Ｈは、図１Ｇの実施形態による機械的インターフェースの斜視図であり、異なる位置にある第２のセクションを示す。
【図１Ｉ】図１Ｉは、代替の実施形態による第１のセクションの斜視図である。
【図１Ｊ】図１Ｊは、図１Ｉの実施形態による第１のセクションおよび第２のセクションを示す斜視図である。
【図２Ａ】図２Ａは、本開示の別の実施形態による内視鏡開創器の側立面図である。
【図２Ｂ】図２Ｂは、図２Ａの実施形態による内視鏡開創器の側立面図であり、組織を開創するために位置決めされた開創器を示す。
【図２Ｃ】図２Ｃは、３つのセクションを有するさらなる実施形態による内視鏡開創器の側立面図である。
【図２Ｄ】図２Ｄは、さらなる実施形態により内視鏡開創器の前立面図であり、ロック機構を示す。
【図３Ａ】図３Ａは、本開示のなお別の実施形態による内視鏡開創器の側立面図である。
【図３Ｂ】図３Ｂは、図３Ａの内視鏡開創器の側立面図であり、組織を開創するために位置決めされた開創器を示す。
【図４Ａ】図４Ａは、本開示の別の実施形態による内視鏡器官開創器の概略側立面図であり、第１または延びた状態で示される。
【図４Ｂ】図４Ｂは、図４Ａの実施形態による内視鏡器官開創器の概略側立面図であり、第２または部分的に縮んだ状態で示される。
【図４Ｃ】図４Ｃは、図４Ａおよび４Ｂの実施形態による内視鏡器官開創器の概略側立面図であり、第３または完全に縮んだ状態で示される。
【図４Ｄ】図４Ｄは、図４Ａ〜４Ｃの実施形態による内視鏡器官開創器の図４Ａに示される、示された領域の斜視詳細図である。
【図５Ａ】図５Ａは、本開示のなお別の実施形態による内視鏡器官開創器の第１のセクションの斜視図である。
【図５Ｂ】図５Ｂは、図５Ａの実施形態による内視鏡器官開創器の第２のセクションの斜視図である。
【図５Ｃ】図５Ｃは、図５Ａおよび５Ｂの実施形態による内視鏡開創器の斜視図である。
【図６Ａ】図６Ａは、本開示のさらなる実施形態による内視鏡開創器の前立面図である。
【図６Ｂ】図６Ｂは、図６Ａの実施形態による内視鏡開創器の側立面図である。
【図６Ｃ】図６Ｃは、別の実施形態による内視鏡開創器の前立面図である。
【図７Ａ】図７Ａは、本開示のなお別の実施形態による内視鏡開創器の左側立面図である。
【図７Ｂ】図７Ｂは、図７Ａの実施形態による内視鏡開創器の前立面図である。
【図７Ｃ】図７Ｃは、図７Ａおよび７Ｂの実施形態による内視鏡開創器の右側立面図である。
【図８Ａ】図８Ａは、本開示のなお別の実施形態による内視鏡開創器の前立面図である。
【図８Ｂ】図８Ｂは、図８Ａの実施形態による内視鏡開創器の側立面図である。
【図９Ａ】図９Ａは、本開示のなお別の実施形態による内視鏡開創器の前斜視図であり、第１またはアセンブルされていない形態で示され、ここで、一連のフィンガー要素は、組織を開創するために協働する。
【図９Ｂ】図９Ｂは、図９Ａの実施形態による内視鏡開創器の前斜視図であり、第２またはアセンブルされた形態で示されている。
【図１０Ａ】図１０Ａは、本開示のなお別の実施形態により、そして組織を開創するためのスコップ様形態を有する内視鏡開創器の前斜視図であって、第１またはアセンブルされていない形態で示される。
【図１０Ｂ】図１０Ｂは、図１０Ａの実施形態による内視鏡開創器の前斜視図であり、第２またはアセンブルされた形態で示される。
【図１１】図１１のＡおよびＢは、本開示の別の実施形態による内視鏡開創器の概略図であり、ここで、図１１のＡは第１または挿入／引抜き形態にある器官開創器を示し、そして図１１のＢは、第２または退避形態にある器官開創器を示す。